(57)【要約】【課題】フォルダ管理機能を設け、編集作業を簡略化できる。【解決手段】移動又はダビング機能を有する情報記録再生方法において、記録媒体に記録されるフォルダ管理情報として、フォルダ名が付けられて分類されたフォルダが定義され、コンテンツ情報であるタイトル又はプログラムはフォルダＩＤが関連付けられ、このフォルダＩＤに基づいて前記タイトル又はプログラムは、所属すべき前記フォルダが決定されるように設定される。一方の媒体のタイトルを他方の媒体にダビング処理するときに、前記タイトル又はプログラムは、元所属したフォルダ名と同じフォルダ名のフォルダに所属するように移動又はダビング処理を実行するようにした。【選択図】      図３
2005141819.tif 000002
【特許請求の範囲】
【請求項１】
情報を一方の媒体から他方の媒体へ移動又はダビングするダビング機能を有する情報記録再生装置において、
記録媒体に記録されるフォルダ管理情報として、フォルダ名が付けられて分類されたフォルダが定義され、コンテンツ情報であるタイトル又はプログラムはフォルダＩＤが関連付けられ、
このフォルダＩＤに基づいて前記タイトル又はプログラムは、所属すべき前記フォルダが決定されるように設定されており、
前記情報記録再生装置は、
一方の媒体のタイトル又はプログラムを他方の媒体に移動又はダビング処理するダビング手段と、
前記移動又はダビング処理した結果、移動又はダビング先のフォルダ管理情報を作成する場合は、前記タイトル又はプログラムが、元所属したフォルダ名と同じフォルダ名のフォルダに所属するスタイルとなるように、前記フォルダ管理情報を処理するフォルダ管理情報処理手段と
を具備したことを特徴とする情報記録再生装置。
【請求項２】
前記フォルダ管理情報処理手段は、
ダビング元のタイトルが属するフォルダの名前を読み取り、このフォルダ名と同じフォルダ名がダビング先のディスクに存在するかどうかを判定する手段と、
前記同じフォルダ名がダビング先のディスクに存在しない場合は、ダビング先のフォルダ管理情報にデフォルトフォルダとして設定されたフォルダに属するタイトルとして記録する手段を有することを特徴とする請求項1記載の情報記録再生装置。
【請求項３】
前記フォルダ管理情報処理手段は、
ダビング元のタイトルが属するフォルダの名前を読み取り、このフォルダ名と同じフォルダ名がダビング先のディスクに存在するかどうかを判定する手段と、
前記同じフォルダ名がダビング先のディスクに存在しない場合は、ダビング元の前記フォルダ名をそのままダビング先のフォルダ管理情報に記録し、ダビング先タイトルはそのフォルダに属するタイトルとして管理情報に記録する手段を有することを特徴とする請求項1記載の情報記録再生装置。
【請求項４】
情報を一方の媒体から他方の媒体へ、或は同一媒体の異なる場所へダビングするダビング機能を有する情報記録再生装置において、
記録媒体に記録されるフォルダ管理情報として、フォルダ名が付けられて分類されたフォルダが定義され、管理ファイルの情報で管理されるコンテンツ情報であるタイトル又はプログラムは、フォルダＩＤが関連付けられ、
このフォルダＩＤに基づいて前記タイトル又はプログラムは、所属すべき前記フォルダが決定されるように設定されており、
前記情報記録再生装置は、
同一の媒体のタイトル又はプログラムを同一媒体内の異なる場所へダビング処理するダビング手段と、
前記ダビング処理した結果、前記媒体内のフォルダ管理情報に対しては、前記タイトル又はプログラムが、元所属したフォルダに所属するように、前記フォルダ管理情報を編集処理するフォルダ管理情報処理手段と
を具備したことを特徴とする情報記録再生装置。
【請求項５】
情報を記録再生する情報記録再生装置において、
記録媒体に記録されるフォルダ管理情報として、フォルダ名が付けられて分類されたフォルダが定義され、コンテンツ情報であるタイトル又はプログラムはフォルダＩＤが関連付けられ、
このフォルダＩＤに基づいて前記タイトル又はプログラムは、所属すべき前記フォルダが決定されるように設定されており、
前記情報記録再生装置は、
録画予約機能として、録画予約のために少なくとも録画する番組のチャンネル指定、録画開始時間、録画終了時間、を設定するための情報設定手段を有し、
この情報設定手段は、録画する番組の保存先を管理するために、フォルダ名を入力するフォルダ名設定手段を含み、
予約した前記番組が録画された結果、前記録画された番組が、前記フォルダ名設定手段により設定された前記フォルダ名のフォルダの下に所属する形態で管理されるように、前記フォルダ管理情報を処理するフォルダ管理情報処理手段と
を具備したことを特徴とする情報記録再生装置。
【請求項６】
情報を一方の媒体から他方の媒体へ移動又はダビング機能を有する情報記録再生方法において、
記録媒体に記録されるフォルダ管理情報として、フォルダ名が付けられて分類されたフォルダが定義され、コンテンツ情報であるタイトル又はプログラムはフォルダＩＤが関連付けられ、
このフォルダＩＤに基づいて前記タイトル又はプログラムは、所属すべき前記フォルダが決定されるように設定されており、
一方の媒体のタイトル又はプログラムを他方の媒体または同一媒体の異なる位置に移動又はダビング処理するステップと、
前記移動又はダビング処理した結果、移動又はダビング先のフォルダ管理情報を作成する場合は、前記タイトル又はプログラムが、元所属したフォルダ名と同じフォルダ名のフォルダに所属するスタイルで、前記フォルダ管理情報を処理するステップと
を具備したことを特徴とする情報記録再生方法。
【発明の詳細な説明】
【技術分野】
【０００１】
本発明は、光ディスク、ハードディスク、その他記録媒体等に情報を記録する、或は情報を再生することができる情報記録再生装置に関するもので、特にフォルダ管理機能を設けたものである。
【背景技術】
【０００２】
近年、情報記録媒体として光ディスク（ＤＶＤ）及びあるいはハードディスクを用いて、リアルタイムで画像データを記録再生する情報記録再生装置が普及している。この情報記録再生装置では、ダビング機能が設けられている。
【特許文献１】特願平１０−２３４００２号公報
【特許文献２】特願２００２−１７１４７４号公報
【特許文献３】特願２００３−１５３１８３号公報
【発明の開示】
【発明が解決しようとする課題】
【０００３】
しかしながら、従来の情報記録再生装置であると、ダビングを行う場合、記録側のディスクは、単純にタイトルを追加記録するのみである。そのあと、ユーザは、ダビングにより記録されたタイトルを再度編集しなければならないことがある。
【０００４】
そこでこの発明の目的は、フォルダ管理機能を設けることにより、ユーザによる編集作業を簡略化できるようにした情報記録再生装置を提供することにある。またこの発明はフォルダ管理情報を自動生成して、ユーザの手間を軽減できるようにした情報記録再生装置を提供することにある。
【課題を解決するための手段】
【０００５】
上記の目的を達成するためにこの発明では、情報を一方の媒体から他方の媒体へ移動又はダビングするダビング機能を有する情報記録再生装置において、記録媒体に記録されるフォルダ管理情報として、フォルダ名が付けられて分類されたフォルダが定義され、コンテンツ情報であるタイトル又はプログラムはフォルダＩＤが関連付けられ、このフォルダＩＤに基づいて前記タイトル又はプログラムは、所属すべき前記フォルダが決定されるように設定されており、前記情報記録再生装置は、一方の媒体のタイトル又はプログラムを他方の媒体に移動又はダビング処理するダビング手段と、前記移動又はダビング処理した結果、移動又はダビング先のフォルダ管理情報を作成する場合は、前記タイトル又はプログラムが、元所属したフォルダ名と同じフォルダ名のフォルダに所属するスタイルとなるように、前記フォルダ管理情報を処理するフォルダ管理情報処理手段とを有する。
【発明の効果】
【０００６】
上記のような処理により、分類されたフォルダ名により、多数のタイトル或はプログラムが管理されるようになり、ユーザの使い勝手が向上する。そして例えば新規タイトルがデフォルトで指定されたフォルダに分類されるのではなく、予約録画なら予約登録時のフォルダ、ダビングならダビング元タイトルが属するフォルダの名前を基準に同一の名前のフォルダに自動的に分類することによりユーザの期待に沿った形で分類でき、ユーザが記録後に行うフォルダ分類作業を低減ことが出来る。
【発明を実施するための最良の形態】
【０００７】
以下この発明の実施の形態を図面を参照して説明する。まず図１は、この発明が適用された情報記録再生装置の構成説明図である。この記録再生装置は、２種類のディスクドライブ部を有する。光ディスク５０１は、ビデオファイルを構築できる情報記録媒体である。ディスクドライブ部５０２は、光ディスク５０１を回転駆動し、情報の読み書きを実行する。５０４はハードディスクを駆動するハードディスクドライブ部である。データプロセッサ部５０３は、ディスクドライブ部５０２及びハードディスクドライブ部５０４に記録データを供給することができ、また、再生された信号を受け取ることができる。ディスクドライブ部５０２は、光ディスク５０１に対する回転制御系、レーザ駆動系、光学系などを有する。
【０００８】
データプロセッサ部５０３は、記録または再生単位のデータを取り扱うもので、バッファ回路、変調・復調回路、エラー訂正部などを含む。
【０００９】
また図１の映像データ記録再生装置は、録画側を構成するエンコーダ部６００と、再生側を構成するデコーダ部７００と、装置本体の動作を制御するマイクロコンピュータブロック８００とを主たる構成要素としている。エンコーダ部６００は、入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。またその入力系統には、ＥＰＧ情報処理部６０１が設けられている。
【００１０】
エンコーダ部６０１の出力は、バッファメモリ６０３を含むフォーマッタ６０４にて所定のＤＶＤ−ＲＡＭのフォーマットに変換され、先のデータプロセッサ部５０３に供給される。エンコーダ部６００には、ＡＶ入力部６１１からの外部アナログビデオ信号と外部アナログオーディオ信号、あるいはＴＶチューナ６１２からのアナログビデオ信号とアナログオーディオ信号が、ＥＰＧ情報処理部６０１を介して入力される。
【００１１】
なお、エンコーダ部６００は、直接圧縮されたデジタルビデオ信号やデジタルオーディオ信号が直接入力されるときは、圧縮デジタルビデオ信号やデジタルオーディオ信号を直接フォーマッタ６０４に供給することもできる。またエンコーダ部６００は、アナログデジタル変換されたデジタルビデオ信号やオーディオ信号を、ビデオミキシング部７０５やオーディオセレクタ７０１に直接供給することもできる。
【００１２】
エンコーダ部６００に含まれるビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００１３】
副映像信号がＡＶ入力部６１１から入力された場合（例えば副映像信号の独立出力端子付ＤＶＤビデオプレーヤからの信号など）、あるいはこのようなデータ構成のＤＶＤビデオ信号が放送されてそれがＴＶチューナ６１２で受信された場合は、ＤＶＤビデオ信号中の副映像信号が副映像エンコーダでエンコード（ランレングス符号化）されて副映像のビットマップとなる。
【００１４】
エンコードされたデジタルビデオ信号、デジタルオーディオ信号、副映像データは、フォーマッタ６０４にてパック化され、ビデオパック、オーディオパック、副映像パックとなり、さらにこれらが集合されてＤＶＤ−レコーディング規格（例えばＤＶＤ−ＲＡＭ、ＤＶＤ−Ｒ、ＤＶＤ−ＲＷなどに記録する規格）で規定されたフォーマットに変換される。
【００１５】
ここで図１の装置は、フォーマッタ６０４でフォーマット化された情報（ビデオ、オーディオ、副映像データなどのパック）及び作成された管理情報を、データプロセッサ部５０３を介してハードディスクドライブ部５０４あるいはデータディスクドライブ部５０２に供給し、ハードディスクあるいは光ディスク５０１に記録することができる。またハードディスクあるいは光ディスクに記録された情報を、データプロセッサ部５０３、ディスクドライブ部５０２を介して光ディスク５０１あるいはハードディスクに記録することもできる。
【００１６】
またハードディスクあるいは光ディスク５０１に記録されている複数番組のビデオオブジェクトを、一部削除したり、異なる番組のオブジェクトをつなげたり、といった編集処理を行うこともできる。これは、ＤＶＤフォーマットが取り扱うデータ単位を定義し、編集を容易にしているからである。
【００１７】
マイクロコンピュータブロック８００は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。
【００１８】
マイクロコンピュータブロック８００のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００１９】
またマイクロコンピュータブロック８００は、システム全体を制御するために必要な情報処理部を有するもので、ワークＲＡＭ、ディレクトリ検出部、ＶＭＧ（全体のビデオ管理情報）情報作成部、コピー関連情報検知部、コピー及びスクランブリング情報処理部（ＲＤＩ処理部）、パケットヘッダ処理部、シーケンスヘッダ処理部、アスペクト比情報処理部などを備える。また、先に説明した電子番組情報の各種処理機能を有することは当然である。
【００２０】
ＭＰＵの実行結果のうち、ユーザに通知すべき内容は、映像データ記録再生装置の表示部８０２に表示されるか、またはモニターディスプレイにＯＳＤ（オンスクリーンディスプレイ）表示される。またマイクロコンピュータブロック８００は、この装置を操作するための操作信号を与えるキー入力部８０１を有する。なお、マイクロコンピュータブロック８００が、ディスクドライブ部５０２、ハードディスクドライブ部５０４、データプロセッサ部５０３、エンコーダ部６００及び／またはデコーダ部７００などを制御するタイミングは、ＳＴＣ（システムタイムクロック）８０３からの時間データに基づいて実行することができる。録画や再生の動作は、通常はＳＴＣ８０３からのタイムクロックに同期して実行されるが、それ以外の処理はＳＴＣ８０３とは独立したタイミングで実行されてもよい。
【００２１】
デコーダ部７００は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００２２】
デコーダ部７００の出力ビデオ信号は、ビデオミキシング部７０５に入力される。ビデオミキシング部７０５では、テキストデータの合成が行われる。またビデオミキシング部７０５には、ＴＶチューナ６１２やＡ／Ｖ入力部６１１からの信号を直接取り込むラインもまた接続されている。ビデオミキシング部７０５には、バッファとして用いるフレームメモリ７０６が接続されている。ビデオミキシング部７０５の出力がアナログ出力の場合はＩ／Ｆ（インタフェース）７０７を介して外部出力され、デジタル出力の場合はデジタルアナログ変換器７０８を介して外部へ出力される。
【００２３】
デコーダ部７００の出力オーディオ信号は、セレクタ７０１を介してデジタルアナログ変換器７０２でアナログ変換され外部に出力される。セレクタ７０１は、マイクロコンピュータブロック８００からのセレクト信号により制御される。これによりセレクタ７０１は、ＴＶチューナ６１２やＡ／Ｖ入力部６１１からのデジタル信号を直接モニタする時、エンコーダ部６００をスルーした信号を直接選択することも可能である。
【００２４】
なお、エンコーダ部６００のフォーマッタでは、録画中、各切り分け情報を作成し、定期的にマイクロコンピュータブロック８００のＭＰＵへ送る（ＧＯＰ先頭割り込み時などの情報）。切り分け情報としては、ＶＯＢＵ（ビデオオブジェクトユニット）のパック数、ＶＯＢＵ先頭からのＩピクチャのエンドアドレス、ＶＯＢＵの再生時間などである。
【００２５】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００２６】
また本装置では、ビデオファイルは１ディスクに１ファイルとしている。またデータをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００２７】
データプロセッサ部５０３は、エンコーダ部６００のフォーマッタからＶＯＢＵ単位のデータを受け取り、ＣＤＡ単位のデータをディスクドライブ部５０２あるいはハードディスクドライブ部５０４に供給している。またマイクロコンピュータブロック８００のＭＰＵは、記録したデータを再生するのに必要な管理情報を作成し、データ記録終了のコマンドを認識すると、作成した管理情報をデータプロセッサ部５０３に送る。これにより、管理情報がディスクに記録される。従って、エンコードが行われているとき、エンコーダ部６００からマイクロコンピュータブロック８００のＭＰＵは、データ単位の情報（切り分け情報など）を受け取る。また、マイクロコンピュータブロック８００のＭＰＵは、記録開始時には光ディスク及びハードディスクから読み取った管理情報（ファイルシステム）を認識し、各ディスクの未記録エリアを認識し、データ上の記録エリアをデータプロセッサ部５０３を介してディスクに設定している。
【００２８】
なお上記のように情報記録再生装置を用いた場合、電子番組情報（受信電子番組情報、抽出電子番組情報のいずれも）を記録し保存する媒体は多種可能である。ハードディスクでもよいし、マイクロコンピュータブロック８００内のＲＡＭであってもよい。
【００２９】
次に本発明の要点の説明を行う。通常は、情報記録媒体のディレクトリーでは、管理ファイル（ＤＶＤではＶＲ．ＭＡＮＧＲ．ＩＦＯ）と、コンテンツを記録するコンテンツファイル（ＤＶＤでは、ＶＲ＿ＭＯＶＩＥ．ＶＲＯ，ＶＲ＿ＳＴＩｌｌ．ＶＲＯ，ＶＲ＿ＡＵＤＩＯ．ＶＲＯなどがある）とが管理されている。さらにタイトル管理ファイルは、コンテンツファイルに記録されているタイトルやプログラムの属性、再生手順などを管理している。本発明では、少なくとも図２に示すように、タイトル管理ファイルにより、各タイトルに対してタイトル名、このタイトルが所属すべきフォルダＩＤを管理するようにしている。
【００３０】
また本発明では、フォルダ管理情報を定義している。すなわち、このフォルダ管理情報では、フォルダ名が付けられて分類されたフォルダが定義されている。一方、コンテンツ情報であるタイトル又はプログラムは、フォルダＩＤが関連付けられ、このフォルダＩＤに基づいて所属すべき前記フォルダが決定される。すなわち、フォルダＩＤとフォルダ名がリンクしている。図２の例では、タイトル＃１、タイトル名、フォルダＩＤ（＃１）…がタイトル管理ファイル内のタイトル管理情報に相当し、フォルダ＃１、フォルダ名、…がフォルダ管理情報に相当する。フォルダＩＤ（＃１）とフォルダ名（＃１）とがリンクしている様子が示されている。
【００３１】
上記のフォルダ管理情報及びタイトル管理ファイルは、情報記録媒体に記録されている。そして新たなタイトルやプログラムを管理しようとするときは、情報記録再生装置のフォルダ機能が、相互の関連付け処理を行う。この処理がリンク処理である。
【００３２】
情報記録再生装置にフォルダ機能が搭載されているとユーザは既に録画したタイトルを整理するという使用方法が可能である。又、ハイブリッド機ではディスク間でのダビングが可能である。ダビングしたタイトルがユーザの期待するフォルダに自動的に分類されると、ダビング後に行うタイトルを整理する手間を低減することが出来る。
【００３３】
（Ａ）次にディスク間ダビングが行われる場合を説明する。ダビング元タイトルのフォルダ属性は確定している。ディスク間ダビングした場合以下のような動作をすることでユーザはダビング終了時に行うフォルダ分類作業にかかる手間を低減できる。
【００３４】
「同一のフォルダ名が存在する場合」
図３に示すように一方のディスク（ＨＤＤ）のフォルダ管理情報では「映画」、「料理」というフォルダが存在する。もう一方（ＤＶＤ）のフォルダ管理情報には「映画」、「音楽」というフォルダがある。例えばＨＤＤ側の「映画」のフォルダに含まれるタイトルをＤＶＤ側にダビングする場合、「映画」という名前のフォルダをＤＶＤ側のフォルダの中から検索する。図３の例であると、「映画」という名前のフォルダがＤＶＤ側に存在するのでダビング先タイトルは「映画」フォルダに自動的に分類する。但し、同じ名前のフォルダが複数存在した場合は最初に見つけたフォルダを該当フォルダとする。図３では、「映画」のフォルダの「ＡＡＡＡＡＡ」が、ＨＤＤからＤＶＤへダビングされた様子を示している。ＤＶＤ側では、タイトル管理ファイルの中に、タイトル名の情報（例えば既記録のタイトル或はプログラム（ＶＯＢ、ＰＲＧ）に続く連続番号、さらにはテキスト情報であってもよい）を新た追加するとともに、これにフォルダＩＤ（この場合「映画」のＩＤ）を付加して、管理する。なお上記の「タイトル」は「プログラム」或は「プレイリスト」に読み替えられてもよい。
【００３５】
（効果１）例えばＨＤＤからＤＶＤにダビングする場合、ＨＤＤとＤＶＤのそれぞれ独立にフォルダ情報を管理している。すなわち存在するフォルダの数、フォルダ名は違う可能性がある。ＨＤＤに「映画」として分類したタイトルがあり、ＤＶＤ側には「映画」というフォルダが存在する場合を考える。ユーザはＨＤＤ側で「映画」に分類されたタイトルなのでＤＶＤにダビングした後も「映画」というフォルダに分類することが予想される。これを解決するために以上のように名前が一致するフォルダに自動的に分類する。
【００３６】
又、複数同じ名前のフォルダが存在した場合は最初(又は最後)にヒットしたフォルダを分類先とすることでユーザの期待と違うフォルダに分類されるかもしれないが予期できる場所なので問題はない。
【００３７】
「同一フォルダ名が存在しない場合」
図４に示すように一方のディスク（ＨＤＤ）に「映画」、「料理」というフォルダが存在する。もう一方（ＤＶＤ）には「Ｐｉｃｔｕｒｅ」、「音楽」というフォルダがある。例えばＨＤＤ側の「映画」のフォルダに含まれるタイトルを、ＤＶＤ側にダビングする場合、「映画」という名前のフォルダをＤＶＤ側のフォルダの中から検索する。しかしこの場合は完全一致が存在しないのでダビング先タイトルではルートに自動的に追加分類する。つまりルートの直下に属するタイトルという形でダビングを行う。この場合は、何処のフォルダにも属しないタイトルとして管理されることになる。タイトルは、そのエントリー位置等がタイトル管理情報で管理される。
【００３８】
同じフォルダ名がダビング先のディスクに存在しない場合は、ダビング先のフォルダ管理情報にデフォルトフォルダとして設定されたフォルダに属するタイトルとして記録するのである。
【００３９】
別の例としては、図５に示すように「映画」フォルダを自動的に作成しそのフォルダに分類してもよい。この場合は、ダビング元の分類フォルダ「映画」という名称をそのままコピーしてもよい。或は、分類フォルダとして「無名」という名称を新たに作成してもよい。
【００４０】
（効果２−１）ダビング先にダビング元フォルダと同じ名前のフォルダが無い場合は自動的にダビング元にあるフォルダ名を付けた新規フォルダをダビング先に作成しそこへダビングで出来た新規タイトルを分類して管理する。これによりユーザはダビング終了時に行うフォルダ分類作業にかかる手間を低減できることになる。上記の説明はディスク間のダビングが行なわれる例を説明した。
【００４１】
（効果２−２）さらにダビング先にダビング元フォルダと同じ名前のフォルダが無い場合は自動的に「無名」という名のフォルダを作成することも可能である。この場合、以下のような利用方法が可能である。ユーザは、後で編集するとき、「無名」というフォルダを開いて、タイトル名を確認し、同一のＤＶＤ内で移動編集を行うことができる。
【００４２】
つまり、本発明の装置は、基本的には、情報を一方の媒体から他方の媒体へ、或は同一媒体の異なる場所へダビングするダビング機能を有する。記録媒体に記録されるフォルダ管理情報として、フォルダ名が付けられて分類されたフォルダが定義され、コンテンツ情報であるタイトル又はプログラムはフォルダＩＤが関連付けられる。そして、このフォルダＩＤに基づいて前記タイトル又はプログラムは、所属すべき前記フォルダが決定されるように設定されている。
【００４３】
このように、情報記録再生装置は、同一の媒体のタイトル又はプログラムを同一媒体内の異なる場所へダビング処理するダビング手段を有する。また情報記録再生装置は、フォルダ管理情報処理手段を有する。このフォルダ情報処理手段は、ダビング処理した結果、媒体内のフォルダ管理情報に対しては、前記タイトル又はプログラムが、元所属したフォルダ名と同じフォルダ名のフォルダに所属するスタイルとなるように、前記フォルダ管理情報を編集処理する。
【００４４】
また、フォルダ管理情報処理手段は、ダビング元のディスクのフォルダＩＤを読み取り、このフォルダＩＤと同じフォルダＩＤがダビング先のディスクに存在するかどうかを判定する手段を有する。そして、同じフォルダＩＤがダビング先のディスクに存在しない場合は、ダビング元のタイトル名をそのまま、ダビング先のフォルダ管理情報にデフォルトとして記録する手段を有する。
【００４５】
さらには、次のような手段であってもよい。ダビング元のディスクのフォルダＩＤを読み取り、このフォルダＩＤと同じフォルダＩＤがダビング先のディスクに存在するかどうかを判定する手段を有する。そして、同じフォルダＩＤがダビング先のディスクに存在しない場合は、ダビング元の前記フォルダＩＤ対応するフォルダ名とダビング元のタイトル名とをそのままダビング先のフォルダ管理情報に記録する手段を有してもよい。
【００４６】
フォルダＩＤは各記録媒体に対して１・２・・・と番号を付加するので一致するものが存在する。この発明においてＩＤはフォルダ管理情報とタイトル管理情報とを結びつける情報として利用されている。
【００４７】
（Ｂ）つぎに、ディスク内ダビングが行われるときの処理を説明する。同一のメディア内にコピーを作るように同一メディア内でダビングを行うことができる。ダビング元タイトルのフォルダ属性は前記同様確定している。図６に示すように新規に作成されたタイトルにダビング元と同じタイトル属性（各フォルダを管理するＩＤ）を付加することで同一フォルダ内にダビングすることが出来る。ディスク間ダビングのように名前一致ではなく特定のフォルダに分類することが目的である。たとえ名前の同じフォルダが複数存在しても問題ない。
【００４８】
つまり、本発明の装置は、情報を一方の媒体から他方の媒体へ、或は同一媒体の異なる場所へダビングするダビング機能を有する。記録媒体に記録されるフォルダ管理情報として、フォルダ名が付けられて分類されたフォルダが定義され、コンテンツ情報であるタイトル又はプログラムはフォルダＩＤが関連付けられ、このフォルダＩＤに基づいて前記タイトル又はプログラムは、所属すべき前記フォルダが決定されるように設定されている。
【００４９】
ここで、情報記録再生装置は、同一の媒体のタイトル又はプログラムを同一媒体内の異なる場所へダビング処理するダビング手段を有する。また情報記録再生装置は、フォルダ管理情報処理手段を有する。このフォルダ情報処理手段は、ダビング処理した結果、媒体内のフォルダ管理情報に対しては、前記タイトル又はプログラムが、元所属したフォルダ名と同じフォルダ名のフォルダに所属するスタイルとなるように、前記フォルダ管理情報を編集処理する。
【００５０】
次に、（Ｃ）フォルダを指定して、予約録画を行うことも可能である。
【００５１】
ユーザが予約登録時に分類するフォルダを指定することが出来る。図７のように登録された予約が実行されるとそのタイトルは登録されたフォルダ名と同じ名前のフォルダに分類される。又同一名のフォルダが存在しない場合にはルートに分類するか、新規フォルダを作成しそのフォルダに分類する。又、リレー録画（ＤＶＤの残量が少なくなった場合ＨＤＤ側に続きを録画する機能）で作成されたタイトルについてもこのルールを適用する。このようにディスク間ダビングと同じ動作をすることでユーザは予約録画終了時にもタイトルをフォルダに分類するという作業をする必要がなくなる。
【００５２】
図７（ａ）は，録画予約画面を示している。録画予約画面では、“チャンネル”、番組放送の“日付”、“開始時刻”、“終了時刻”、“記録先”（ＨＤＤ或はＤＶＤ）、“記録モード”、“レート”、“音質”、などを指定する。本発明では、さらにこのような指定情報に“フォルダ名”を指定できるようになっている。図７（ｂ）は、録画予約画面で予約した映画がフォルダ名「映画」に所属するように格納された様子を示している。
【００５３】
（効果３）録画予約時には、通常は、予約登録時にセットされていたディスクを基に予約録画設定を行う。しかし予約録画開始時には、予約を登録した時のディスクが入っているとは限らない。ディスクが交換されている場合もある。そのような場合を想定し予約登録時に指定されたフォルダの名前を記憶しておくことで、録画開始時に設定されているディスク内において、指定されているフォルダ名と同一の名前を見つけたらそのフォルダに分類することができる。これによりユーザが期待するフォルダに記録されたことになる。又、リレー録画にも適用することでその後ＤＶＤに移し変える（ダビング）際にもユーザの手間を低減することが出来る。
【００５４】
つまり、情報を記録再生する情報記録再生装置において、まず、記録媒体に記録されるフォルダ管理情報として、フォルダ名が付けられて分類されたフォルダが定義され、コンテンツ情報であるタイトル又はプログラムはフォルダＩＤが関連付けられ、このフォルダＩＤに基づいて前記タイトル又はプログラムは、所属すべき前記フォルダが決定されるように設定されている。そして情報記録再生装置は、録画予約機能として、録画予約のために少なくとも録画する番組のチャンネル指定、録画開始時間、録画終了時間、を設定するための情報設定手段を有する。この情報設定手段は、さらに、録画する番組をの保存先を管理するために、フォルダ名を入力するフォルダ名設定手段を含む。
【００５５】
ここで、予約した前記番組が録画された結果、前記フォルダ管理情報が編集される。この場合、録画された番組が、フォルダ名設定手段により設定されたフォルダ名のフォルダの下に所属する形態で管理されるように編集処理される。
【００５６】
上記したように本発明によると、フォルダ機能を有する映像音声データ記録装置においてダビング時にダビング元タイトルが属するフォルダと同じ名前のフォルダに自動的に分類し、ユーザが予約登録時に指定したフォルダ名に一致するフォルダにタイトルを自動的に分類することによりユーザの期待に沿った形で分類でき、記録終了後にユーザが行うフォルダ分類作業の煩わしさを低減することが出来る。
【００５７】
図８には、本発明がＤＶＤシステムに適用された場合、ＤＶＤディスクにおけるディテクトリー構成の例を示している。ＤＶＤにおけるディレクトリーは、
ディレクトリー「ＤＶＤ＿ＲＴＡＶ」内には、ビデオマネジャー（ＶＭＧ）ファイルとしてのＶＲ＿ＭＡＮＧＥＲ．ＩＦＯ、ムービービデオファイルとしてのＶＲ＿ＭＯＶＩＥ．ＶＲＯ、スチルピクチャービデオファイルとしてのＶＲ＿ＳＴＩＬＬ．ＶＲＯ、オーディオファイルとしてのＶＲ＿ＡＵＤＩＯ．ＶＲＯ、ビデオマネジャーのバックアップとしてのＶＲ＿ＭＡＮＡＧＲ．ＢＵＰの各ファイルが存在する。
【００５８】
ＶＲ＿ＭＡＮＥＧＥＲ．ＩＦＯファイルには、ナビゲーションデータが記録されるもので、このナビゲーションデータは、タイトル及びこれに属するプログラムセット、プログラム、エントリーポイント、プレイリストなどを進行させるためのデータである。
【００５９】
ＶＲ＿ＭＯＶＩＥ．ＶＲＯファイルは、ムービービデオオブジェクト（ムービーＶＯＢ）を記録するためのいわゆるムービーＡＶファイルである。ＶＲ＿ＳＴＩＬＬ．ＶＲＯは、スチルピクチャーＶＯＢを記録するためのスチルピクチャＡＶファイルである。
【００６０】
またＶＲ＿ＡＵＤＩＯ．ＶＲＯは、スチルピクチャーに対する付加オーディオストリームを記録するためのスチルピクチャー付加オーディオファイルである。
【００６１】
ＶＲ＿ＡＵＤＩＯ．ＶＲＯは、付加オーディオパートを記録するために用いられるファイルであり、この付加オーディオパートは、アフターレコーディングにより記録されたオーディオストリームを示す。ＶＲ＿ＡＵＤＩＯ．ＶＲＯに記録されたオーディオパートは、ＶＲ＿ＳＴＩＬＬ．ＶＲＯに記録された幾つかのビデオパートとの組み合せでも使用される。ＶＲ＿ＭＡＮＡＧＲ．ＢＵＰは、ＶＲ＿ＭＡＮＥＧＥＲ．ＩＦＯのバックアップファイルである。
【００６２】
こので本発明では、例えばディレクトリー「ＤＶＤ＿ＲＴＡＶ」内にタイトル管理ファイルが設けられている。ここでは、ディスクに記録されているタイトル数の管理、タイトル名の管理、このタイトルを振り分けるべき（あるいは分類すべき）フォルダＩＤ情報をを管理している。タイトル名の管理は、例えばテキスト情報で与えることができる。タイトル管理ファイルのタイトル情報（タイトル番号等）は、ＶＲ＿ＭＡＮＧＥＲ．ＩＦＯ内の管理情報とリンクしている。
【００６３】
さらにまたルート内には、フォルダ管理情報が設置されている。フォルダ管理情報は、上述したように、フォルダ名（フォルダＩＤにリンク）と、このフォルダに属するタイトル名などを管理している。フォルダ管理情報は、ファイルとしてＤＶＤ−ＲＴＶのルートのもとに存在してもよい。
【００６４】
タイトル管理ファイル及びフォルダ管理情報を独立して設けたのは、ディスのフォルダ状況をのみを点検したいような場合に、このタイトル管理ファイル及びフォルダ管理情報のみを読み出しディスプレイ上で表示してみることが可能であるからである。そのためにはデータ量が少なくて、アクセスを容易にしたほうが良い。
【００６５】
図９には、ダビングが行なわれるときの動作をフローチャートで示している。ダビングが開始されるとダビングする「タイトル」があるかどうかの判定が行われる（ステップＳ１）。ユーザはダビング元から、ダビングする「タイトル」をカーソルなどで選択する。この場合、複数の「タイトル」選択しても良い（ステップＳ２）。
【００６６】
ダビングが実行され、例えば１つの「タイトル」のダビングが終了すると、フォルダ管理処理に移る（ステップＳ３，Ｓ４）。ダビング先には、ダビング元のタイトルに付随しているフォルダＩＤに相当するフォルダが存在するかどうかの判定が行われる（ステップＳ５）。存在すると判定された場合には、先に示した図３の如く、所属すべきフォルダ内に新たなタイトル名がコピーされて管理される。逆に存在しないと判定され場合には、先に示した図４あるいは図５の如く、タイトル名のコピーのみ（デフォルトとして設定）が実行されるか、あるいはコピー元のフォルダ名が移植され、このフォルダ名の下に新たなタイトル名が記録される。
【００６７】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００６８】
【図１】本発明が適用されている情報記録再生装置の構成説明図。
【図２】本発明の基本的な概念におけるタイトル管理ファイルとコンテンツファイルの関連を示す説明図。
【図３】本発明の装置における一動作例を説明するために示す概念図。
【図４】本発明の装置における他の動作例を説明するために示す概念図。
【図５】本発明の装置における更に他の動作例を説明するために示す概念図。
【図６】本発明の装置におけるまた他の動作例を説明するために示す概念図。
【図７】本発明の装置におけるまた他の動作例を説明するために示す概念図。
【図８】本発明が適用されたＤＶＤのディレクトリー構造の例を示す図。
【図９】本発明の装置の動作例を説明するために示すフローチャート。
【符号の説明】
【００６９】
５０１…光ディスク、５０２…ディスクドライブ部、５０３…データプロセッサ部、６００…エンコーダ部、６０４…フォーマッタ、６１１…Ａ／Ｖ入力部、６１２…ＴＶチューナ部、７００…デコーダ部、７０５…ミキシング部、７０９…モニタ、８００…マイクロコンピュータブロック。
【図１】
2005141819.tif 000003
【図２】
2005141819.tif 000004
【図３】
2005141819.tif 000005
【図４】
2005141819.tif 000006
【図５】
2005141819.tif 000007
【図６】
2005141819.tif 000008
【図７】
2005141819.tif 000009
【図８】
2005141819.tif 000010
【図９】
2005141819.tif 000011